(57)【特許請求の範囲】
【請求項１】
自局のカバーエリアに在圏する第１の端末に対し、データをフレームに載せて所定の周波数帯域内の周波数を用いて送信する第１の無線基地局と、
複数の前記第１の無線基地局のカバーエリアを含むエリアを自局のカバーエリアとし、自局のカバーエリアに在圏する第２の端末に対し、データをフレームに載せて前記所定の周波数帯域内の周波数を用いて送信する第２の無線基地局と、を備え、
複数の前記第１の無線基地局は、自局が前記第１の端末に対して送信するフレームの送信タイミングを前記第２の無線基地局に通知し、
前記第２の無線基地局は、前記第２の端末に対して送信するフレームの送信タイミングを、該第２の端末が在圏するカバーエリアをカバーする前記第１の無線基地局から通知された送信タイミングに同期させる、無線通信システム。
【請求項２】
請求項１記載の無線通信システムであって、
複数の前記第１の無線基地局の各々は、前記第２の無線基地局がフレームにデータを載せる時間帯を決定し、決定した時間帯を前記第２の無線基地局に通知する、無線通信システム。
【請求項３】
請求項２記載の無線通信システムであって、
複数の前記第１の無線基地局の各々に対応して設けられ、対応する第１の無線基地局と第２の無線基地局とから送信されるデータを増幅する複数のＲＦ送受信機を更に備え、
複数の前記第１の無線基地局の各々は、対応するＲＦ送受信機経由で、自局のフレームの送信タイミングと前記決定した時間帯とを、前記第２の無線基地局に通知する、無線通信システム。
【請求項４】
請求項２または３に記載の無線通信システムであって、
複数の前記第１の無線基地局は、前記決定した時間帯を自局のカバーエリアに在圏する前記第１および第２の端末の少なくともいずれかに報知する、無線通信システム。
【請求項５】
自局のカバーエリアに在圏する第１の端末に対し、データをフレームに載せて所定の周波数帯域内の周波数を用いて送信する無線基地局であって、
前記無線基地局のカバーエリアを含むエリアをカバーエリアとし、前記所定の周波数帯域内の周波数を用いて自局のカバーエリアに在圏する第２の端末にデータをフレームに載せて送信する他の無線基地局が前記フレームにデータを載せる時間帯を決定し、該決定した時間帯を前記他の無線基地局に通知する制御部を有する無線基地局。
【請求項６】
請求項５記載の無線基地局であって、
前記制御部は、前記自局のカバーエリアに在圏する前記第１の端末および前記第２の端末の少なくともいずれかに、前記決定した時間帯を報知する、無線基地局。
【請求項７】
複数の無線基地局が各々カバーする複数のカバーエリアを含むエリアを自局のカバーエリアとし、前記自局のカバーエリアに在圏する第１の端末に対し、データをフレームに載せて所定の周波数帯域内の周波数を用いて送信する集中管理型無線基地局であって、
前記無線基地局が自局のカバーエリアに在圏する第２の端末に対し、データをフレームに載せて所定の周波数帯域内の周波数を用いて送信するフレームの送信タイミングを、前記複数の無線基地局から各々受信し、
前記第１の端末に対して送信するフレームの送信タイミングを、該第１の端末が在圏するカバーエリアをカバーする前記無線基地局から通知された送信タイミングに同期させる制御部を有する集中管理型無線基地局。
【請求項８】
同一の周波数帯域内の周波数を用いてデータをフレームに載せて送信する２つの無線基地局のカバーエリアの重複するエリアに在圏する端末であって、
前記２つの無線基地局の一方から前記周波数を用いて報知された、他方の無線基地局がデータをフレームに載せる時間帯を受信し、
受信した前記時間帯に基づき、前記他方の無線基地局から送信されるフレームを受信する端末。
【請求項９】
第１の無線基地局および第２の無線基地局が、重複するエリアを自局のカバーエリアとし、同じ周波数帯域内の周波数を用いてそれぞれ第１の端末および第２の端末に対してデータをフレームに載せて送信する場合において、前記第１の無線基地局が前記第２の無線基地局と協調するための制御方法であって、
前記第１の無線基地局が、前記第２の無線基地局がフレームにデータを載せる時間帯を決定し、前記決定した時間帯を前記第２の無線基地局に通知する、制御方法。
【請求項１０】
請求項９記載の制御方法であって、
前記第１の無線基地局が、前記決定した時間帯を、前記第１の無線基地局のカバーエリアと前記第２の無線基地局のカバーエリアとが重複するエリアに在圏する前記第１の端末および前記第２の端末の少なくともいずれかに報知する、制御方法。
【請求項１１】
複数の無線基地局が各々カバーする複数のカバーエリアを含むエリアを自局のカバーエリアとし、前記自局のカバーエリアに在圏する第１の端末に対し、データをフレームに載せて所定の周波数帯域内の周波数を用いて送信する集中管理型無線基地局の制御方法であって、
前記無線基地局が自局のカバーエリアに在圏する第２の端末に対し、データをフレームに載せて所定の周波数帯域内の周波数を用いて送信するフレームの送信タイミングを、前記複数の無線基地局から各々受信し、
前記第１の端末に対して送信するフレームの送信タイミングを、該第１の端末が在圏するカバーエリアをカバーする前記無線基地局から通知された送信タイミングに同期させる集中管理型無線基地局の制御方法。
【発明の詳細な説明】
【技術分野】
【０００１】
本発明は、無線通信システム、無線基地局および協調制御方法に関する。
【背景技術】
【０００２】
携帯電話サービスへの加入率は、先進諸国では全人口の９０％以上に達し、更に、先進諸国内の一部の国においては１２０％近くに達している。そのため、ユーザへの携帯電話サービスの普及は、飽和状態となっている。そこで近年、携帯電話オペレータの売上高アップのために、自動販売機、車載端末（カーナビゲーション端末）、信号機などの端末同士が、ユーザを介さずに通信する無線通信システムが検討されている（例えば、特許文献１（特開平８−１９８４１５号公報）参照）。【０００３】
なお、以下では、ユーザを介して通信する携帯電話等の端末をユーザ端末と称し、ユーザを介さずに通信する端末をマシーン端末と称する。また、ユーザ端末を用いた音声通話やウェブブラウジングなどの通信と区別するために、マシーン端末同士による通信をMachine  to  Machine（Ｍ２Ｍ）通信と称する。【０００４】
音声通話やウェブブラウジングでは、通信の遅延や切断をユーザが体感することができ、不快感へと繋がる。従って、ユーザ端末を用いた通信では、通信の遅延や切断が発生しない高い通信品質が要求される。【０００５】
一方、Ｍ２Ｍ通信では、定期的（１日に１回、あるいは数時間に１回）なデータの送受信（アップロード、ダウンロードなど）が主に行われ、結果的にデータの送受信ができれば足りる場合が多いので、ある程度の通信の遅延や切断の発生は許容され、要求される通信品質は低くなる。【０００６】
そのため、将来的に、Ｍ２Ｍ通信によるトラフィックが増加した場合に、そのトラフィックを処理するために、ユーザ端末との通信向けのネットワークと同等の通信品質を有するネットワークを増設することは、過剰な設備投資となる。
【先行技術文献】
【特許文献】
【０００７】
【特許文献１】特開平８−１９８４１５号公報
【発明の概要】
【発明が解決しようとする課題】
【０００８】
そこで、Ｍ２Ｍ通信によるトラフィックの増加に対応するネットワーク構成の１つの解として、複数の無線基地局のカバーエリアに跨るエリアをカバーエリアとする無線基地局を設ける構成が考えられる。なお、以下では、複数の無線基地局のそれぞれを通常無線基地局と称し、複数の通常無線基地局のカバーエリアと同じエリアをカバーエリアとする無線基地局を集中管理型無線基地局と称する。【０００９】
通常無線基地局と集中管理型無線基地局とを設けたネットワークには、以下の２つの特徴がある。【００１０】
第１の特徴は、通常無線基地局と集中管理型無線基地局とは、同一の周波数帯域が割り当てられ、その周波数帯域内でデータを送信するという特徴である。【００１１】
第２の特徴は、通常無線基地局は、ユーザ端末と通信し、集中管理型無線基地局は、マシーン端末と通信するという特徴である。【００１２】
しかしながら、上述した特徴を実現するためには、以下のような課題がある。【００１３】
図１Ａは、ＬＴＥ（Long  Term  Evolution）方式において、無線基地局がデータを送信するフレームの構成の一例を示す図である。【００１４】
図１Ａに示すように、ＬＴＥ方式では、無線基地局は、データをサブフレームに載せ、そのサブフレームを自局に割り当てられた周波数帯域内の周波数をサブキャリア単位で使用して送信する。【００１５】
ここで、通常無線基地局と集中管理型無線基地局とが、図１Ｂに示すように、同一の時間帯に、同一のサブキャリアを用いてサブフレームを送信すると、互いの送信波が干渉となり、データの送信ができない。【００１６】
そこで、干渉の発生を防止するために、例えば、通常無線基地局と集中管理型無線基地局とが送信するサブフレームを分けることが考えられる。しかし、通常無線基地局が送信するサブフレームと集中管理型無線基地局が送信するサブフレームとが連続している場合などに、両無線基地局のサブフレームの送信タイミングがずれていると、同一の時間帯にサブフレームが重複して送信されることがある。そうすると干渉が発生し、データの送信ができない。そのため、通常無線基地局と集中管理型無線基地局との間でサブフレームを送信する送信タイミングが同期している必要があるが、如何にして両無線基地局間で送信タイミングを同期させるかについては十分な検討がなされていないという課題がある。【００１７】
本発明の目的は、上述した課題を解決することができる無線通信システム、無線基地局および協調制御方法を提供することにある。
【課題を解決するための手段】
【００１８】
上記目的を達成するために本発明の無線通信システムは、
自局のカバーエリアに在圏する第１の端末に対し、データをフレームに載せて所定の周波数帯域内の周波数を用いて送信する複数の第１の無線基地局と、
前記複数の第１の無線基地局のカバーエリアと同じエリアを自局のカバーエリアとし、自局のカバーエリアに在圏する第２の端末に対し、データをフレームに載せて前記所定の周波数帯域内の周波数を用いて送信する第２の無線基地局と、を備え、
前記複数の第１の無線基地局の各々は、自局が前記第１の端末に対して送信するフレームの送信タイミングを前記第２の無線基地局に通知し、
前記第２の無線基地局は、前記第２の端末に対して送信するフレームの送信タイミングを、該第２の端末が在圏するカバーエリアをカバーする前記第１の無線基地局から通知された送信タイミングに同期させる。【００１９】
上記目的を達成するために本発明の無線基地局は、
自局のカバーエリアに在圏する第１の端末に対し、データをフレームに載せて所定の周波数帯域内の周波数を用いて送信する無線基地局であって、
前記無線基地局のカバーエリアと同じエリアをカバーエリアとし、前記所定の周波数帯域内の周波数を用いて自局のカバーエリアに在圏する第２の端末にデータをフレームに載せて送信する集中管理型無線基地局に対し、自局のフレームの送信タイミングを通知する制御部を有する。【００２０】
上記目的を達成するために本発明の協調制御方法は、
第１の無線基地局および第２の無線基地局が、同じエリアをカバーエリアとし、同じ周波数帯域内の周波数を用いてそれぞれ第１の端末および第２の端末に対してデータをフレームに載せて送信する場合において、前記第１の無線基地局が前記第２の無線基地局と協調するための協調制御方法であって、
前記第１の無線基地局が、前記第２の無線基地局に自局のフレームの送信タイミングを通知する。
【発明の効果】
【００２１】
本発明によれば、第１の無線基地局は、自局のカバーエリアと同じエリアをカバーエリアとする第２の無線基地局に対し、自局のカバーエリアに在圏する第１の端末に送信するフレームの送信タイミングを通知し、第２の無線基地局は、第２の端末に送信するフレームの送信タイミングを、その第２の端末が在圏するカバーエリアをカバーする第１の無線基地局から通知された送信タイミングに同期させる。【００２２】
このように、第１の無線基地局のフレームの送信タイミングを第２の無線基地局に通知することで、両無線基地局間でフレームの送信タイミングを同期させることができる。
【図面の簡単な説明】
【００２３】
【図１Ａ】一般的なフレームの構成を示す図である。
【図１Ｂ】通常無線基地局と集中管理型無線基地局とを設けた場合の課題を説明するための図である。
【図２】本発明の第１の実施形態の無線通信システムの構成を示す図である。
【図３Ａ】図２に示す通常無線基地局の構成を示すブロック図である。
【図３Ｂ】図２に示す集中管理型無線基地局の構成を示すブロック図である。
【図３Ｃ】図２に示すＲＦ送受信機の構成を示すブロック図である。
【図４】図２に示す無線通信システムの動作を説明するための図である。
【図５】集中管理型無線基地局へのサブフレームの割り当ての一例を示す図である。
【図６】図４に示す集中管理型無線基地局の起動時の、無線通信システムの動作の一例を示すシーケンス図である。
【図７】図４に示す通常無線基地局の起動時の、無線通信システムの動作の一例を示すシーケンス図である。
【図８】図４に示す通常無線基地局の起動時の、無線通信システムの動作の一例を示すシーケンス図である。
【図９】図４に示す集中管理型無線基地局の起動時の、無線通信システムの動作の一例を示すシーケンス図である。
【図１０】図４に示す通常無線基地局の起動時の、無線通信システムの動作の一例を示すシーケンス図である。
【図１１】図４に示す通常無線基地局の起動時の、無線通信システムの動作の一例を示すシーケンス図である。
【図１２】本発明の第２の実施形態の無線通信システムの動作を説明するための図である。
【図１３】図１２に示す集中管理型無線基地局の起動時の、無線通信システムの動作の一例を示すシーケンス図である。
【図１４】図１２に示す通常無線基地局の起動時の、無線通信システムの動作の一例を示すシーケンス図である。
【図１５】図１２に示す通常無線基地局の起動時の、無線通信システムの動作の一例を示すシーケンス図である。
【図１６】図１２に示す集中管理型無線基地局の起動時の、無線通信システムの動作の一例を示すシーケンス図である。
【図１７】図１２に示す通常無線基地局の起動時の、無線通信システムの動作の一例を示すシーケンス図である。
【図１８】図１２に示す通常無線基地局の起動時の、無線通信システムの動作の一例を示すシーケンス図である。
【図１９】本発明の第３の実施形態の無線通信システムの動作を説明するための図である。
【図２０】図１９に示す集中管理型無線基地局の起動時の、無線通信システムの動作の一例を示すシーケンス図である。
【図２１】図１９に示す通常無線基地局の起動時の、無線通信システムの動作の一例を示すシーケンス図である。
【図２２】集中管理型無線基地局へのサブキャリアの割り当ての一例を示す図である。
【発明を実施するための形態】
【００２４】
以下に、本発明を実施するための形態について図面を参照して説明する。
【００２５】
（第１の実施形態）
図２は、本発明の第１の実施形態の無線通信システムの構成を示す図である。
【００２６】
図２に示す無線通信システムは、通常無線基地局１０〜１２と、集中管理型無線基地局３０，３１と、ＲＦ送受信機５０〜５８と、ＳＧＷ（Serving  Gate  Way）７１と、ＰＧＷ（PDN  Gate  Way）７２と、ＭＭＥ（Mobility  Management  Entity）７３と、ＡＡＡ／ＨＳＳ（Authentication,  Authorization,  Accounting/Home  Subscriber  Server）７４と、を有する。
【００２７】
通常無線基地局１０は、ＲＦ送受信機５０〜５２と接続され、エリア６０〜６２をカバーし、そのカバーエリア６０〜６２に在圏するユーザ端末とデータの送受信を行う。具体的には、通常無線基地局１０は、例えば、カバーエリア６０に在圏するユーザ端末にデータを送信する場合には、そのユーザ端末に送信するデータを生成してＲＦ送受信機５０に出力し、ＲＦ送受信機５０を介してデータを送信する。また、カバーエリア６０に在圏するユーザ端末から送信されたデータは、ＲＦ送受信機５０により受信され、通常無線基地局１０に出力される。なお、通常無線基地局１１，１２は、通常無線基地局１０と比較して、接続されるＲＦ送受信機が異なるだけなので、以下では詳細な説明を省略する。
【００２８】
集中管理型無線基地局３０は、ＲＦ送受信機５０〜５８と接続され、エリア６０〜６８をカバーし、そのカバーエリア６０〜６８に在圏するマシーン端末とデータの送受信を行う。従って、集中管理型無線基地局３０は、通常無線基地局１０〜１２と同じＲＦ送受信機５０〜５８と接続され、通常無線基地局１０〜１２のカバーエリアと同じエリアをカバーエリアとする。なお、集中管理型無線基地局３１は、集中管理型無線基地局３０と比較して、接続されるＲＦ送受信機が異なるだけなので、以下では詳細な説明を省略する。また、集中管理型無線基地局３０も、通常無線基地局１０と同様に、接続されるＲＦ送受信機を介して、マシーン端末とデータの送受信を行う。
【００２９】
なお、図示していないが、集中管理型無線基地局３０は、集中管理型無線基地局３１および通常無線基地局１０とＸ２インタフェースを介して接続される。また、通常無線基地局１０および集中管理型無線基地局３０は、ＳＧＷ７１およびＭＭＥ７３とＳ１インタフェースを介して接続される。
【００３０】
ＲＦ送受信機５０は、通常無線基地局１０とそのカバーエリア６０に在圏するユーザ端末との間、および集中管理型無線基地局３０とそのカバーエリア６０に在圏するマシーン端末との間で送受信されるデータの増幅を行う。なお、ＲＦ送受信機５１〜５８は、ＲＦ送受信機５０と同様の構成および動作であるので、以下では詳細な説明を省略する。
【００３１】
ＳＧＷ７１、ＰＧＷ７２、ＭＭＥ７３、およびＡＡＡ／ＨＳＳ７４はそれぞれ、データ転送、端末の外部ネットワークへの接続、端末の移動の管理、端末の認証や情報管理、等を行うコアネットワーク側の装置であって、当業者にとってよく知られており、また本発明とは直接関係しないので、詳細な説明は省略する。
【００３２】
次に、通常無線基地局１０、集中管理型無線基地局３０およびＲＦ送受信機５０の構成について説明する。
【００３３】
図３Ａは、通常無線基地局１０の構成を示すブロック図である。
【００３４】
図３Ａに示す通常無線基地局１０は、制御部１０１と、ベースバンド処理部１０２と、時刻情報取得部１０３と、を有する。
【００３５】
制御部１０１は、通常無線基地局１０全体の動作を制御し、例えば、呼処理、保守監視処理等を行う。
【００３６】
ベースバンド処理部１０２は、通常無線基地局１０とＲＦ送受信機５０との間で送受信されるデータのデコードおよびエンコード等のベースバンド処理を行う。
【００３７】
時刻情報取得部１０３は、ＧＰＳ（Global  Positioning  System）あるいはＮＴＰ（Network  Time  Protocol）サーバー等から基準時刻を取得し、その基準時刻に基づき自局の送信タイミングを示す時刻情報を取得し、その時刻情報を制御部１０１に出力する。
【００３８】
図３Ｂは、集中管理型無線基地局３０の構成を示すブロック図である。
【００３９】
図３Ｂに示す集中管理型無線基地局３０は、制御部３０１と、ベースバンド処理部３０２と、時刻情報取得部３０３と、を有する。
【００４０】
制御部３０１は、集中管理型無線基地局３０全体の動作を制御し、例えば、呼処理、保守監視処理等を行う。
【００４１】
ベースバンド処理部３０２は、集中管理型無線基地局３０とＲＦ送受信機５０との間で送受信されるデータのベースバンド処理を行う。
【００４２】
時刻情報取得部３０３は、ＧＰＳあるいはＮＴＰサーバー等から基準時刻を取得し、その基準時刻に基づき自局の送信タイミングを示す時刻情報を取得し、その時刻情報を制御部３０１に出力する。
【００４３】
図３Ｃは、ＲＦ送受信機５０の構成を示すブロック図である。
【００４４】
図３Ｃに示すＲＦ送受信機５０は、通常無線基地局用アンプ部５０１と、集中管理型無線基地局用アンプ部５０２と、を有する。
【００４５】
通常無線基地局用アンプ部５０１は、通常無線基地局１０とユーザ端末との間で不図示のアンテナを介して送受信されるデータを増幅する。
【００４６】
集中管理型無線基地局用アンプ部５０２は、集中管理型無線基地局３０とマシーン端末との間で不図示のアンテナを介して送受信されるデータを増幅すると共に、通常無線基地局用アンプ部５０１を介して送信されるデータを、監視用インタフェース５０３を介してモニタする。
【００４７】
次に、本実施形態の無線通信システムの動作について説明する。
【００４８】
なお、本実施形態においては、図４に示すように、通常無線基地局１０〜１２と集中管理型無線基地局３０とが、Ｘ２インタフェースを介して、直接、情報の通知を行う例について、通常無線基地局１０および集中管理型無線基地局３０の動作を中心に説明する。
【００４９】
また、以下では、通常無線基地局１０は、図５に示すように、集中管理型無線基地局３０がデータを載せて送信するサブフレームの割り当てを決定すると共に、割り当てたサブフレーム以外のサブフレームにデータを載せて送信し、集中管理型無線基地局３０は、割り当てられたサブフレームにデータを載せて送信するものとする。
【００５０】
（Ａ）送信タイミングの同期動作
まず、通常無線基地局１０と集中管理型無線基地局３０との間で送信タイミングを同期させる動作について説明する。
【００５１】
なお、通常無線基地局１０および集中管理型無線基地局３０が、起動（あるいは再起動）するたびに、両無線基地局間で送信タイミングを同期させる必要があるため、以下では、それぞれの無線基地局の起動時に動作を分けて説明する。
【００５２】
（Ａ−１）集中管理型無線基地局３０の起動時の動作
図６は、集中管理型無線基地局３０の起動時に送信タイミングを同期させる動作を示すシーケンス図である。
【００５３】
集中管理型無線基地局３０の制御部３０１は、起動時に（ステップＳ１０１）、X2  SETUP  REQUESTメッセージを通常無線基地局１０〜１２に送信する（ステップＳ１０２）。このX2  SETUP  REQUESTメッセージには、新たな情報エレメントとして、「Timing  Information  Request」IEが追加され、制御部３０１は、通常無線基地局１０〜１２にフレームの送信タイミングを示す時刻情報を要求するために、本IEをActiveに設定する。
【００５４】
通常無線基地局１０の時刻情報取得部１０３は、集中管理型無線基地局３０から送信されてきたX2  SETUP  REQUESTメッセージを受信すると、「Timing  Information  Request」IEを参照し、本IEがActiveの場合、自局の送信タイミングをＧＰＳ、ＮＴＰサーバー等から取得した基準時刻に基づき変換して、時刻情報を取得する。そして、制御部１０１は、応答メッセージであるX2  SETUP  RESPONSEメッセージを集中管理型無線基地局３０に送信する（ステップＳ１０３）。このX2  SETUP  RESPONSEメッセージには、新たな情報エレメントとして、「Timing  Information」IEが追加され、制御部１０１は、本IEに、時刻情報取得部１０３により取得された時刻情報と自局の識別情報であるCell  IDとを設定する。
【００５５】
集中管理型無線基地局３０の制御部３０１は、通常無線基地局１０〜１２から送信されてきたX2  SETUP  RESPONSEメッセージを受信すると、「Timing  Information」IEに設定されたCell  IDと時刻情報とに基づき、各通常無線基地局との間で送信タイミングを同期させる。
【００５６】
（Ａ−２）通常無線基地局１０の起動時の動作
図７は、通常無線基地局１０の起動時に送信タイミングを同期させる動作を示すシーケンス図である。
【００５７】
通常無線基地局１０の時刻情報取得部１０３は、起動時に（ステップＳ２０１）、時刻情報を取得し、制御部１０１は、X2  SETUP  REQUESTメッセージを集中管理型無線基地局３０に送信する（ステップＳ２０２）。このX2  SETUP  REQUESTメッセージには、新たな情報エレメントとして、「Timing  Information」IEが追加され、制御部１０１は、本IEに、時刻情報取得部１０３により取得された時刻情報とCell  IDとを設定する。
【００５８】
集中管理型無線基地局３０の制御部３０１は、通常無線基地局１０から送信されてきたX2  SETUP  REQUESTメッセージを受信すると、「Timing  Information」IEに設定された時刻情報に基づき、通常無線基地局１０との間で送信タイミングを同期させると共に、X2  SETUP  RESPONSEメッセージを通常無線基地局１０に送信する（ステップＳ２０３）。
【００５９】
（Ａ−３）通常無線基地局１０の起動時の他の動作
図８は、通常無線基地局１０の起動時に送信タイミングを同期させる他の動作を示すシーケンス図である。
【００６０】
通常無線基地局１０の制御部１０１は、起動時に（ステップＳ３０１）、X2  SETUP  REQUESTメッセージを集中管理型無線基地局３０に送信し（ステップＳ３０２）、集中管理型無線基地局３０の制御部３０１は、そのX2  SETUP  REQUESTメッセージを受信すると、X2  SETUP  RESPONSEメッセージを通常無線基地局１０に送信する（ステップＳ３０３）。このX2  SETUP  RESPONSEメッセージには、新たな情報エレメントとして、「Timing  Information  Request」IEが追加され、制御部３０１は、時刻情報を要求するために、本IEをActiveに設定する。
【００６１】
通常無線基地局１０の時刻情報取得部１０３は、集中管理型無線基地局３０から送信されてきたX2  SETUP  RESPONSEメッセージを受信すると、「Timing  Information  Request」IEを参照し、本IEがActiveの場合、時刻情報を取得し、制御部１０１は、ENB  CONFIGURATION  UPDATEメッセージを集中管理型無線基地局３０に送信する（ステップＳ３０４）。このENB  CONFIGURATION  UPDATEメッセージには、新たな情報エレメントとして、「Timing  Information」IEが追加され、制御部１０１は、本IEに、時刻情報取得部１０３により取得された時刻情報とCell  IDとを設定する。
【００６２】
集中管理型無線基地局３０の制御部３０１は、通常無線基地局１０から送信されてきたENB  CONFIGURATION  UPDATEメッセージを受信すると、「Timing  Information」IEに設定された時刻情報に基づき、通常無線基地局１０との間で送信タイミングを同期させると共に、ENB  CONFIGURATION  ACKNOWLEDGEメッセージを通常無線基地局１０に送信する（ステップＳ３０５）。
【００６３】
（Ｂ）サブフレーム割り当て動作
次に、集中管理型無線基地局３０へのサブフレームの割り当ての動作について説明する。
【００６４】
なお、集中管理型無線基地局３０に割り当てられたサブフレームをユーザ端末およびマシーン端末に通知する必要がある。ここで、ユーザ端末およびマシーン端末への通知は、通常無線基地局１０および集中管理型無線基地局３０のうち、一方の無線基地局からのみ行うものとし、通知を行う無線基地局をマスター基地局と称する。以下では、通常無線基地局１０がマスター基地局であるとする。
【００６５】
また、通常無線基地局１０および集中管理型無線基地局３０が、起動（あるいは再起動）するたびに、サブフレームの割り当てを行う必要があるため、以下では、それぞれの無線基地局の起動時の動作を分けて説明する。
【００６６】
（Ｂ−１）集中管理型無線基地局３０の起動時の動作
図９は、集中管理型無線基地局３０の起動時のサブフレームの割り当ての動作を示すシーケンス図である。
【００６７】
集中管理型無線基地局３０の制御部３０１は、起動時に（ステップＳ４０１）、X2  SETUP  REQUESTメッセージを通常無線基地局１０〜１２に送信する（ステップＳ４０２）。このX2  SETUP  REQUESTメッセージには、新たな情報エレメントとして、「Access  Resource  Information  Request」IEが追加され、制御部３０１は、サブフレームの割り当てを要求するために、本IEをActiveに設定する。
【００６８】
通常無線基地局１０の制御部１０１は、集中管理型無線基地局３０から送信されてきたX2  SETUP  REQUESTメッセージを受信すると、「Access  Resource  Information  Request」IEを参照し、本IEがActiveの場合、集中管理型無線基地局３０に割り当てるサブフレームを決定し、X2  SETUP  RESPONSEメッセージを集中管理型無線基地局３０に送信する（ステップＳ４０３）。このX2  SETUP  RESPONSEメッセージには、新たな情報エレメントとして、「Access  Resource  Information」IEが追加され、制御部１０１は、本IEに、割り当てたサブフレームのSubframe番号とCell  IDとを設定する。
【００６９】
また、通常無線基地局１０の制御部１０１は、割り当てたサブフレームのSubframe番号をカバーエリア６０〜６２に在圏するユーザ端末およびマシーン端末に報知するために、そのSubframe番号を載せた報知情報であるRRC:  System  Informationメッセージを送信する。具体的には、System  Information  Block  Type2メッセージに、新たな情報エレメントとして、「集中管理型無線基地局用SubframeConfig」IEが追加され、通常無線基地局１０は、本IEに、割り当てたサブフレームのSubframe番号を設定する。
【００７０】
集中管理型無線基地局３０の制御部３０１は、通常無線基地局１０〜１２から送信されてきたX2  SETUP  RESPONSEメッセージを受信し、「Access  Resource  Information」IEに設定されたCell  IDが、例えば、通常無線基地局１０を示す場合には、通常無線基地局１０から割り当てられたサブフレームにデータを載せて、カバーエリア６０〜６２に在圏するマシーン端末に送信する。
【００７１】
ここで、上述したように、通常無線基地局１０と集中管理型無線基地局３０との間で送信タイミングは同期しており、集中管理型無線基地局３０は、その送信タイミングから自局に割り当てられたサブフレームを送信するタイミングを求めることができるので、割り当てられたサブフレームの開始と終了のタイミングでデータを送信する無線基地局を切り替えるができ、干渉の発生を防止することができる。
【００７２】
（Ｂ−２）通常無線基地局１０の起動時の動作
図１０は、通常無線基地局１０の起動時のサブフレームの割り当ての動作を示すシーケンス図である。
【００７３】
通常無線基地局１０の制御部１０１は、起動時に（ステップＳ５０１）、集中管理型無線基地局３０に割り当てるサブフレームを決定し、X2  SETUP  REQUESTメッセージを集中管理型無線基地局３０に送信する（ステップＳ５０２）。このX2  SETUP  REQUESTメッセージには、新たな情報エレメントとして、「Access  Resource  Information」IEが追加され、制御部１０１は、本IEに、割り当てたサブフレームのSubframe番号とCell  IDとを設定する。
【００７４】
また、制御部１０１は、RRC:  System  Informationメッセージに、割り当てたサブフレームのSubframe番号を載せて送信する。
【００７５】
集中管理型無線基地局３０の制御部３０１は、通常無線基地局１０から送信されてきたX2  SETUP  REQUESTメッセージを受信すると、X2  SETUP  RESPONSEメッセージを通常無線基地局１０に送信すると共に（ステップＳ５０３）、通常無線基地局１０から割り当てられたサブフレームにデータを載せてカバーエリア６０〜６２に在圏するマシーン端末に送信する。
【００７６】
（Ｂ−３）通常無線基地局１０の起動時の他の動作
図１１は、通常無線基地局１０の起動時のサブフレームの割り当ての他の動作を示すシーケンス図である。
【００７７】
通常無線基地局１０の制御部１０１は、起動時に（ステップＳ６０１）、X2  SETUP  REQUESTメッセージを集中管理型無線基地局３０に送信し（ステップＳ６０２）、集中管理型無線基地局３０の制御部３０１は、そのX2  SETUP  REQUESTメッセージを受信すると、X2  SETUP  RESPONSEメッセージを通常無線基地局１０に送信する（ステップＳ６０３）。このX2  SETUP  RESPONSEメッセージには、新たな情報エレメントとして、「Access  Resource  Information  Request」IEが追加され、制御部３０１は、サブフレームの割り当てを要求するために、本IEをActiveに設定する。
【００７８】
通常無線基地局１０の制御部１０１は、集中管理型無線基地局３０から送信されてきたX2  SETUP  RESPONSEメッセージを受信すると、「Access  Resource  Information  Request」IEを参照し、本IEがActiveの場合、集中管理型無線基地局３０に割り当てるサブフレームを決定し、ENB  CONFIGURATION  UPDATEメッセージを集中管理型無線基地局３０に送信する（ステップＳ６０４）。このENB  CONFIGURATION  UPDATEメッセージには、新たな情報エレメントとして、「Access  Resource  Information」IEが追加され、制御部１０１は、本IEに、割り当てたサブフレームのSubframe番号とCell  IDとを設定する。
【００７９】
また、制御部１０１は、RRC:  System  Informationメッセージに、割り当てたサブフレームのSubframe番号を載せて送信する。
【００８０】
集中管理型無線基地局３０の制御部３０１は、通常無線基地局１０から送信されてきたENB  CONFIGURATION  UPDATEメッセージを受信すると、ENB  CONFIGURATION  ACKNOWLEDGEメッセージを通常無線基地局１０に送信すると共に（ステップＳ６０５）、通常無線基地局１０から割り当てられたサブフレームにデータを載せてカバーエリア６０〜６２に在圏するマシーン端末に送信する。
【００８１】
このように本実施形態によれば、通常無線基地局１０は、フレームの送信タイミングを示す時刻情報を集中管理型無線基地局３０に送信し、集中管理型無線基地局３０は、その時刻情報に基づき、通常無線基地局１０との間で送信タイミングを同期させると共に、通常無線基地局１０から割り当てられたサブフレームでデータを送信する。
【００８２】
そのため、通常無線基地局１０と集中管理型無線基地局３０とが、同一の時間帯にデータを送信することがなくなるので、干渉により、データの送信ができなくなることを防ぐことができる。
【００８３】
また、通常無線基地局１０は、集中管理型無線基地局３０に割り当てたサブフレームを示す報知情報をユーザ端末およびマシーン端末に送信する。
【００８４】
そのため、ユーザ端末向けの報知情報とマシーン端末向けの報知情報が統一され、それぞれの端末が、スムーズに無線基地局に接続することができる。
【００８５】
（第２の実施形態）
本実施形態では、第１の実施形態と比較して、図１２に示すように、通常無線基地局１０と集中管理型無線基地局３０とが、Ｓ１インタフェースを介してＭＭＥ７３経由で情報を通知する点が異なる。
【００８６】
また、通常無線基地局１０〜１２、集中管理型無線基地局３０およびＲＦ送受信機５０〜５８の構成は、第１の実施形態と同様であるので、説明を省略する。
【００８７】
次に、本実施形態の無線通信システムの動作について説明する。
【００８８】
（Ｃ）送信タイミングの同期動作
まず、通常無線基地局１０と集中管理型無線基地局３０との間で送信タイミングを同期させる動作について説明する。
【００８９】
（Ｃ−１）集中管理型無線基地局３０の起動時の動作
図１３は、集中管理型無線基地局３０の起動時に送信タイミングを同期させる動作を示すシーケンス図である。
【００９０】
集中管理型無線基地局３０の制御部３０１は、起動時に（ステップＳ７０１）、S1  SETUP  REQUESTメッセージをＭＭＥ７３に送信する（ステップＳ７０２）。このS1  SETUP  REQUESTメッセージには、新たな情報エレメントとして、「Timing  Information  Request」IEが追加され、制御部３０１は、時刻情報を要求するために、本IEをActiveに設定する。
【００９１】
ＭＭＥ７３は、集中管理型無線基地局３０から送信されてきたS1  SETUP  REQUESTメッセージを受信すると、「Timing  Information  Request」IEを参照し、本IEがActiveの場合、MME  CONFIGURATION  UPDATEメッセージを通常無線基地局１０〜１２に送信する（ステップＳ７０３）。このMME  CONFIGURATION  UPDATEメッセージには、新たな情報エレメントとして、「Timing  Information  Request」IEが追加され、ＭＭＥ７３は、本IEをActiveに設定する。
【００９２】
通常無線基地局１０の時刻情報取得部１０３は、ＭＭＥ７３から送信されてきたMME  CONFIGURATION  UPDATEメッセージを受信すると、「Timing  Information  Request」IEを参照し、本IEがActiveの場合、時刻情報を取得し、制御部１０１は、MME  CONFIGURATION  UPDATE  ACKNOWLEDGEメッセージをＭＭＥ７３に送信する（ステップＳ７０４）。このMME  CONFIGURATION  UPDATE  ACKNOWLEDGEメッセージには、新たな情報エレメントとして、「Timing  Information」IEが追加され、制御部１０１は、本IEに、時刻情報取得部１０３により取得された時刻情報とCell  IDとを設定する。
【００９３】
ＭＭＥ７３は、通常無線基地局１０から送信されてきたMME  CONFIGURATION  ACKNOWLEDGEメッセージを受信すると、S1  SETUP  RESPONSEメッセージを集中管理型無線基地局３０に送信する（ステップＳ７０５）。このS1  SETUP  RESPONSEメッセージには、新たな情報エレメントとして、「Timing  Information」IEが追加され、ＭＭＥ７３は、本IEに、MME  CONFIGURATION  ACKNOWLEDGEメッセージの「Timing  Information」IEに設定された時刻情報とCell  IDとを設定する。
【００９４】
集中管理型無線基地局３０の制御部３０１は、ＭＭＥ７３から送信されてきたS1  SETUP  RESPONSEメッセージを受信すると、「Timing  Information」IEに設定されたCell  IDと時刻情報とに基づき、各通常無線基地局との間で送信タイミングを同期させる。
【００９５】
（Ｃ−２）通常無線基地局１０の起動時の動作
図１４は、通常無線基地局１０の起動時に送信タイミングを同期させる動作を示すシーケンス図である。
【００９６】
通常無線基地局１０の時刻情報取得部１０３は、起動時に（ステップＳ８０１）、時刻情報を取得し、制御部１０１は、S1  SETUP  REQUESTメッセージをＭＭＥ７３に送信する（ステップＳ８０２）。このS1  SETUP  REQUESTメッセージには、新たな情報エレメントとして、「Timing  Information」IEが追加され、制御部１０１は、本IEに、時刻情報取得部１０３により取得された時刻情報とCell  IDとを設定する。
【００９７】
ＭＭＥ７３は、通常無線基地局１０から送信されてきたS1  SETUP  REQUESTメッセージを受信すると、MME  CONFIGURATION  UPDATEメッセージを集中管理型無線基地局３０に送信する（ステップＳ８０３）。このMME  CONFIGURATION  UPDATEメッセージには、新たな情報エレメントとして、「Timing  Information」IEが追加され、ＭＭＥ７３は、本IEに、S1  SETUP  REQUESTメッセージの「Timing  Information」IEに設定された時刻情報とCell  IDとを設定する。
【００９８】
集中管理型無線基地局３０の制御部３０１は、ＭＭＥ７３から送信されてきたMME  CONFIGURATION  UPDATEメッセージを受信すると、「Timing  Information」IEに設定された時刻情報に基づき、通常無線基地局１０との間で送信タイミングを同期させる。また、制御部３０１は、MME  CONFIGURATION  UPDATE  ACKNOWLEDGEメッセージをＭＭＥ７３に送信し（ステップＳ８０４）、ＭＭＥ７３は、そのMME  CONFIGURATION  UPDATE  ACKNOWLEDGEメッセージを受信すると、S1  SETUP  RESPONSEメッセージを通常無線基地局１０に送信する（ステップＳ８０５）。
（Ｃ−３）通常無線基地局１０の起動時の他の動作
図１５は、通常無線基地局１０の起動時に送信タイミングを同期させる他の動作を示すシーケンス図である。
【００９９】
通常無線基地局１０の制御部１０１は、起動時に（ステップＳ９０１）、S1  SETUP  REQUESTメッセージをＭＭＥ７３に送信し（ステップＳ９０２）、ＭＭＥ７３は、そのS1  SETUP  REQUESTメッセージを受信すると、S1  SETUP  RESPONSEメッセージを通常無線基地局１０に送信する（ステップＳ９０３）。このS1  SETUP  RESPONSEメッセージには、新たな情報エレメントとして、「Timing  Information  Request」IEが追加され、ＭＭＥ７３は、時刻情報を要求するために、本IEをActiveに設定する。
【０１００】
通常無線基地局１０の時刻情報取得部１０３は、ＭＭＥ７３から送信されてきたS1  SETUP  RESPONSEメッセージを受信すると、「Timing  Information  Request」IEを参照し、本IEがActiveの場合、時刻情報を取得し、制御部１０１は、ENB  CONFIGURATION  UPDATEメッセージをＭＭＥ７３に送信する（ステップＳ９０４）。このENB  CONFIGURATION  UPDATEメッセージには、新たな情報エレメントとして、「Timing  Information」IEが追加され、制御部１０１は、本IEに、時刻情報取得部１０３により取得された時刻情報とCell  IDとを設定する。
【０１０１】
以下、ステップＳ８０３，Ｓ８０４と同様の処理が行われ、集中管理型無線基地局３０の制御部３０１は、通常無線基地局１０との間で送信タイミングを同期させる。
【０１０２】
また、ＭＭＥ７３は、集中管理型無線基地局３０から送信されてきたMME  CONFIGURATION  UPDATE  ACKNOWLEDGEメッセージを受信すると、ENB  CONFIGURATION  ACKNOWLEDGEメッセージを通常無線基地局１０に送信する（ステップＳ９０５）。
【０１０３】
（Ｄ）サブフレーム割り当て動作
次に、集中管理型無線基地局３０へのサブフレームの割り当ての動作について説明する。
【０１０４】
（Ｄ−１）集中管理型無線基地局３０の起動時の動作
図１６は、集中管理型無線基地局３０の起動時のサブフレームの割り当ての動作を示すシーケンス図である。
【０１０５】
集中管理型無線基地局３０の制御部３０１は、起動時に（ステップＳ１００１）、S1  SETUP  REQUESTメッセージをＭＭＥ７３に送信する（ステップＳ１００２）。このS1  SETUP  REQUESTメッセージには、新たな情報エレメントとして、「Access  Resource  Information  Request」IEが追加され、制御部３０１は、サブフレームの割り当てを要求するために、本IEをActiveに設定する。
【０１０６】
ＭＭＥ７３は、集中管理型無線基地局３０から送信されてきたS1  SETUP  REQUESTメッセージを受信すると、「Access  Resource  Information  Request」IEを参照し、本IEがActiveの場合、MME  CONFIGURATION  UPDATEメッセージを通常無線基地局１０〜１２に送信する（ステップＳ１００３）。このMME  CONFIGURATION  UPDATEメッセージには、新たな情報エレメントとして、「Access  Resource  Information  Request」IEが追加され、ＭＭＥ７３は、本IEをActiveに設定する。
【０１０７】
通常無線基地局１０の制御部１０１は、ＭＭＥ７３から送信されてきたMME  CONFIGURATION  UPDATEメッセージを受信すると、「Access  Resource  Information  Request」IEを参照し、本IEがActiveの場合、集中管理型無線基地局３０に割り当てるサブフレームを決定し、MME  CONFIGURATION  UPDATE  ACKNOWLEDGEメッセージをＭＭＥ７３に送信する（ステップＳ１００４）。このMME  CONFIGURATION  UPDATE  ACKNOWLEDGEメッセージには、新たな情報エレメントとして、「Access  Resource  Information」IEが追加され、制御部１０１は、本IEに、割り当てたサブフレームのSubframe番号とCell  IDとを設定する。
【０１０８】
また、制御部１０１は、RRC:  System  Informationメッセージに、割り当てたサブフレームのSubframe番号を載せて送信する。
【０１０９】
ＭＭＥ７３は、通常無線基地局１０から送信されてきたMME  CONFIGURATION  UPDATE  ACKNOWLEDGEメッセージを受信すると、S1  SETUP  RESPONSEメッセージを集中管理型無線基地局３０に送信する（ステップＳ１００５）。このS1  SETUP  RESPONSEメッセージには、新たな情報エレメントとして、「Access  Resource  Information」IEが追加され、ＭＭＥ７３は、本IEに、MME  CONFIGURATION  ACKNOWLEDGEメッセージの「Access  Resource  Information」IEに設定されたSubframe番号とCell  IDとを設定する。
【０１１０】
集中管理型無線基地局３０の制御部３０１は、ＭＭＥ７３から送信されてきたS1  SETUP  RESPONSEメッセージを受信し、「Access  Resource  Information」IEに設定されたCell  IDが、例えば、通常無線基地局１０を示す場合には、通常無線基地局１０から割り当てられたサブフレームにデータを載せてカバーエリア６０〜６２に在圏するマシーン端末に送信する。
【０１１１】
（Ｄ−２）通常無線基地局１０の起動時の動作
図１７は、通常無線基地局１０の起動時のサブフレームの割り当ての動作を示すシーケンス図である。
【０１１２】
通常無線基地局１０の制御部１０１は、起動時に（ステップＳ１１０１）、集中管理型無線基地局３０に割り当てるサブフレームを決定し、S1  SETUP  REQUESTメッセージをＭＭＥ７３に送信する（ステップＳ１１０２）。このS1  SETUP  REQUESTメッセージには、新たな情報エレメントとして、「Access  Resource  Information」IEが追加され、制御部１０１は、本IEに、割り当てたサブフレームのSubframe番号とCell  IDとを設定する。
【０１１３】
また、通常無線基地局１０の制御部１０１は、RRC:  System  Informationメッセージに、割り当てたサブフレームのSubframe番号を載せて送信する。
【０１１４】
ＭＭＥ７３は、通常無線基地局１０から送信されてきたS1  SETUP  REQUESTメッセージを受信すると、MME  CONFIGURATION  UPDATEメッセージを集中管理型無線基地局３０に送信する（ステップＳ１１０３）。このMME  CONFIGURATION  UPDATEメッセージには、新たな情報エレメントとして、「Access  Resource  Information」IEが追加され、ＭＭＥ７３は、本IEに、S1  SETUP  REQUESTメッセージの「Access  Resource  Information」IEに設定されたSubframe番号とCell  IDとを設定する。
【０１１５】
集中管理型無線基地局３０の制御部３０１は、ＭＭＥ７３から送信されてきたMME  CONFIGURATION  UPDATEメッセージを受信すると、MME  CONFIGURATION  UPDATE  ACKNOWLEDGEメッセージをＭＭＥ７３に送信すると共に（ステップＳ１１０４）、通常無線基地局１０から割り当てられたサブフレームにデータを載せてカバーエリア６０〜６２に在圏するマシーン端末に送信する。
【０１１６】
ＭＭＥ７３は、集中管理型無線基地局３０から送信されてきたMME  CONFIGURATION  UPDATE  ACKNOWLEDGEメッセージを受信すると、S1  SETUP  RESPONSEメッセージを通常無線基地局１０に送信する（ステップＳ１１０５）。
【０１１７】
（Ｄ−３）通常無線基地局１０の起動時の他の動作
図１８は、通常無線基地局１０の起動時のサブフレームの割り当ての他の動作を示すシーケンス図である。
【０１１８】
通常無線基地局１０の制御部１０１は、起動時に（ステップＳ１２０１）、S1  SETUP  REQUESTメッセージをＭＭＥ７３に送信し（ステップＳ１２０２）、ＭＭＥ７３は、送信されてきたS1  SETUP  REQUESTメッセージを受信すると、S1  SETUP  RESPONSEメッセージを通常無線基地局１０に送信する（ステップＳ１２０３）。このS1  SETUP  REQUESTメッセージには、新たな情報エレメントとして、「Access  Resource  Information  Request」IEが追加され、ＭＭＥ７３は、サブフレームの割り当てを要求するために、本IEをActiveに設定する。
【０１１９】
通常無線基地局１０の制御部１０１は、ＭＭＥ７３から送信されてきたS1  SETUP  RESPONSEメッセージを受信すると、「Access  Resource  Information  Request」IEを参照し、本IEがActiveの場合、集中管理型無線基地局３０に割り当てるサブフレームを決定し、ENB  CONFIGURATION  UPDATEメッセージをＭＭＥ７３に送信する（ステップＳ１２０４）。このENB  CONFIGURATION  UPDATEメッセージには、新たな情報エレメントとして、「Access  Resource  Information」IEが追加され、制御部１０１は、本IEに、割り当てたサブフレームのSubframe番号とCell  IDとを設定する。
【０１２０】
ＭＭＥ７３は、通常無線基地局１０から送信されてきたENB  CONFIGURATION  UPDATEメッセージを受信すると、MME  CONFIGURATION  UPDATEメッセージを集中管理型無線基地局３０に送信する（ステップＳ１２０５）。このMME  CONFIGURATION  UPDATEメッセージには、新たな情報エレメントとして、「Access  Resource  Information」IEが追加され、ＭＭＥ７３は、本IEに、ENB  CONFIGURATION  UPDATEメッセージの「Access  Resource  Information」IEに設定されたSubframe番号とCell  IDとを設定する。
【０１２１】
集中管理型無線基地局３０の制御部３０１は、ＭＭＥ７３から送信されてきたMME  CONFIGURATION  UPDATEメッセージを受信すると、MME  CONFIGURATION  UPDATE  ACKNOWLEDGEメッセージをＭＭＥ７３に送信すると共に（ステップＳ１２０６）、通常無線基地局１０から割り当てられたサブフレームにデータを載せてカバーエリア６０〜６２に在圏するマシーン端末に送信する。
【０１２２】
ＭＭＥ７３は、集中管理型無線基地局３０から送信されてきたMME  CONFIGURATION  UPDATE  ACKNOWLEDGEメッセージを受信すると、ENB  CONFIGURATION  ACKNOWLEDGEメッセージを通常無線基地局１０に送信する（ステップＳ１２０７）。
【０１２３】
このように、本実施形態によれば、通常無線基地局１０および集中管理型無線基地局３０は、上位局であるＭＭＥ７３を介して情報を通知する。
【０１２４】
そのため、Ｘ２インタフェースを介して情報を通知することなく、通常無線基地局１０と集中管理型無線基地局３０との間の送信タイミングの同期やサブフレームの割り当てを行うことができる。
【０１２５】
（第３の実施形態）
本実施形態では、第１および第２の実施形態と比較して、図１９に示すように、通常無線基地局１０と集中管理型無線基地局３０とが、共通して接続するＲＦ送受信機５０経由で情報を通知する点が異なる。
【０１２６】
なお、図１９においては、簡略化のために、通常無線基地局１０および集中管理型無線基地局３０が、１つのＲＦ送受信機５０とのみ接続するように記載されている。また、通常無線基地局１０、集中管理型無線基地局３０、ＲＦ送受信機５０の構成は、第１および第２の実施形態と同様であるので、説明を省略する。
【０１２７】
次に、本実施形態の無線通信システムの動作について説明する。
【０１２８】
（Ｅ）送信タイミングの同期動作
通常無線基地局１０と集中管理型無線基地局３０との間で送信タイミングを同期させる動作について説明する。
【０１２９】
（Ｅ−１）集中管理型無線基地局３０の起動時の動作
図２０は、集中管理型無線基地局３０の起動時に送信タイミングを同期させる動作を示すシーケンス図である。
【０１３０】
通常無線基地局１０の制御部１０１は、送信タイミングを示す同期情報（時刻情報）を、カバーエリア６０〜６２に在圏するユーザ端末に通常無線基地局用アンプ部５０１を介してSynchronization  Channelにより送信する。
【０１３１】
集中管理型無線基地局３０の制御部３０１は、起動時に（ステップＳ１３０１）、送信タイミングを仮決定し、集中管理型無線基地局用アンプ部５０２に、その仮決定した送信タイミングを通知すると共に、仮決定した送信タイミングの補正量を示す補正情報を要求する同期情報確認要求を送信する（ステップＳ１３０２）。
【０１３２】
ＲＦ送受信機５０の集中管理型無線基地局用アンプ部５０２は、集中管理型無線基地局３０から同期情報確認要求が送信されると、通常無線基地局用アンプ部５０１を介して送信される同期情報をモニタする（ステップＳ１３０３）。さらに、集中管理型無線基地局用アンプ部５０２は、モニタした同期情報に基づき、通常無線基地局１０と集中管理型無線基地局３０との間で送信タイミングが同期するように、集中管理型無線基地局３０から通知された送信タイミングの補正量を算出し、算出した補正量を示す補正情報を集中管理型無線基地局３０に出力する（ステップＳ１３０４）。
【０１３３】
集中管理型無線基地局３０の制御部３０１は、ＲＦ送受信機５０から出力された補正情報に基づき、仮決定した送信タイミングを補正する。
【０１３４】
（Ｅ−２）通常無線基地局１０の起動時の動作
図２１は、通常無線基地局１０の起動時に送信タイミングを同期させる動作を示すシーケンス図である。
【０１３５】
ＲＦ送受信機５０の集中管理型無線基地局用アンプ部５０２は、常に、通常無線基地局用アンプ部５０１を介して送信される同期情報をモニタする（ステップＳ１４０１，Ｓ１４０２）。なお、ステップＳ１４０１，Ｓ１４０２では、通常無線基地局３００は起動しておらず、同期情報は送信されていない。
【０１３６】
通常無線基地局１０が起動し（ステップＳ１４０３）、通常無線基地局用アンプ部５０１を介した同期情報の送信が開始されると、集中管理型無線基地局用アンプ部５０２は、同期情報をモニタし（ステップＳ１４０４）、モニタした同期情報に基づき、集中管理型無線基地局３０から通知された送信タイミングの補正量を算出し、補正情報を集中管理型無線基地局３０に出力する（ステップＳ１４０５）。
【０１３７】
集中管理型無線基地局３０の制御部３０１は、ＲＦ送受信機５０から出力された補正情報に基づき、仮決定した送信タイミングを補正する。
【０１３８】
このように本実施形態によれば、集中管理型無線基地局３０は、ＲＦ送受信機５０から通知された通常無線基地局１０の送信タイミングに基づき、通常無線基地局１０との間で送信タイミングを同期させる。
【０１３９】
そのため、Ｘ２インタフェースやＳ１インタフェースを介して送信タイミングの同期に必要な情報を通知することなく、通常無線基地局１０と集中管理型無線基地局３０との間で送信タイミングを同期させることができる。
【０１４０】
なお、本実施形態においては、集中管理型無線基地局３０が仮決定した送信タイミングの補正量を算出する例を用いて説明したが、本発明はこれに限られるものではなく、同期情報が示す通常無線基地局１０の送信タイミングを集中管理型無線基地局３０に通知し、集中管理型無線基地局３０は、その通知に基づき、通常無線基地局１０との間で送信タイミングを同期させるようにしてもよい。
【０１４１】
また、第１および第２の実施形態においては、集中管理型無線基地局３０に特定のサブフレームを割り当てる例を用いて説明したが、本発明はこれに限られるものではなく、図２２に示すように、特定のサブキャリアを割り当てることも可能である。
【０１４２】
この場合には、通常無線基地局１０は、割り当てたサブフレームを集中管理型無線基地局３０に通知すると共に、割り当てたサブキャリア以外のサブキャリアでユーザ端末にデータを送信し、集中管理型無線基地局３０は、通常無線基地局１０から割り当てられたサブキャリアでマシーン端末にデータを送信する。
【０１４３】
以上、実施形態を参照して本願発明を説明したが、本発明は上記実施形態に限定されるものではない。本願発明の構成や詳細には、本願発明の範囲内で当業者が理解し得る様々な変更をすることができる。
【０１４４】
この出願は、２０１０年２月４日に出願された日本出願２０１０−０２３１２０を基礎とする優先権を主張し、その開示の全てをここに取り込む。
【図１Ａ】
0005464217.tif 000002
【図１Ｂ】
0005464217.tif 000003
【図２】
0005464217.tif 000004
【図３Ａ】
0005464217.tif 000005
【図３Ｂ】
0005464217.tif 000006
【図３Ｃ】
0005464217.tif 000007
【図４】
0005464217.tif 000008
【図５】
0005464217.tif 000009
【図６】
0005464217.tif 000010
【図７】
0005464217.tif 000011
【図８】
0005464217.tif 000012
【図９】
0005464217.tif 000013
【図１０】
0005464217.tif 000014
【図１１】
0005464217.tif 000015
【図１２】
0005464217.tif 000016
【図１３】
0005464217.tif 000017
【図１４】
0005464217.tif 000018
【図１５】
0005464217.tif 000019
【図１６】
0005464217.tif 000020
【図１７】
0005464217.tif 000021
【図１８】
0005464217.tif 000022
【図１９】
0005464217.tif 000023
【図２０】
0005464217.tif 000024
【図２１】
0005464217.tif 000025
【図２２】
0005464217.tif 000026